(57)【特許請求の範囲】
【請求項１】
一般式（１）
0003959853.tif 000005
［式中、Ａはシクロヘキサン環又はシクロヘキセン環を表す。Ｒ１ は水素原子又はメチル基を表す。Ｘは水素原子又は基−ＣＯＯＲ４ を表す。Ｙは水素原子又は基−ＣＯＯＲ５ を表す。Ｒ２ 、Ｒ３ 、Ｒ４ 、Ｒ５ は同一又は異なって、炭素数３〜１８の分岐状のアルキル基、炭素数３〜１０のシクロアルキル基、又は、炭素数１〜１８の直鎖状のアルキル基を表す。］で表される脂環式ポリカルボン酸エステルの１種又は２種以上を３〜８０重量％及び一般式（２）
Ｒ６Ｏ（ＢＯ）ｎＨ （２）
［式中、Ｒ６ は水素原子、炭素数１〜２２の直鎖状アルキル基、炭素数１６〜２２の直鎖状アルケニル基又は炭素数７〜１８の分岐状アルキル基を表す。Ｂは炭素数２〜４のアルキレン基を表す。ｎは１〜５０の整数を表す。］で表される脂肪族ポリアルキレングリコールの１種又は２種以上を０．５〜３０重量％含有することを特徴とする金属加工油組成物。
【請求項２】
脂環式ポリカルボン酸エステルが、１，２−シクロヘキサンジカルボン酸ジイソブチル、１，２−シクロヘキサンジカルボン酸ジイソヘプチル、１，２−シクロヘキサンジカルボン酸ジ（２−エチルヘキシル）、１，２−シクロヘキサンジカルボン酸ジ（ｓｅｃ−オクチル）、１，２−シクロヘキサンジカルボン酸ジ（３，５，５−トリメチルヘキシル）、１，２−シクロヘキサンジカルボン酸ジイソノニル、１，２−シクロヘキサンジカルボン酸ジイソデシル、１，２−シクロヘキサンジカルボン酸ジ（ｓｅｃ−デシル）、１，２−シクロヘキサンジカルボン酸ジイソウンデシル、１，２−シクロヘキサンジカルボン酸ジ（ｓｅｃ−ドデシル）、１，２−シクロヘキサンジカルボン酸ジイソトリデシル、１，２−シクロヘキサンジカルボン酸ジ（ｓｅｃ−テトラデシル）、１，２−シクロヘキサンジカルボン酸ジシクロヘキシル、１，２−シクロヘキサンジカルボン酸ジオクチル、１，２−シクロヘキサンジカルボン酸ジデシル、１，２−シクロヘキサンジカルボン酸ジドデシル、１，２−シクロヘキサンジカルボン酸ジテトラデシル、１，２−シクロヘキサンジカルボン酸ジヘキサデシル、１，２−シクロヘキサンジカルボン酸ジオクタデシル、３−メチル−１，２−シクロヘキサンジカルボン酸ジイソブチル、３−メチル−１，２−シクロヘキサンジカルボン酸ジイソヘプチル、３−メチル−１，２−シクロヘキサンジカルボン酸ジ（２−エチルヘキシル）、３−メチル−１，２−シクロヘキサンジカルボン酸ジ（ｓｅｃ−オクチル）、３−メチル−１，２−シクロヘキサンジカルボン酸ジ（３，５，５−トリメチルヘキシル）、３−メチル−１，２−シクロヘキサンジカルボン酸ジイソノニル、３−メチル−１，２−シクロヘキサンジカルボン酸ジイソデシル、３−メチル−１，２−シクロヘキサンジカルボン酸ジ（ｓｅｃ−デシル）、３−メチル−１，２−シクロヘキサンジカルボン酸ジイソウンデシル、３−メチル−１，２−シクロヘキサンジカルボン酸ジ（ｓｅｃ−ドデシル）、３−メチル−１，２−シクロヘキサンジカルボン酸ジイソトリデシル、３−メチル−１，２−シクロヘキサンジカルボン酸ジ（ｓｅｃ−テトラデシル）、３−メチル−１，２−シクロヘキサンジカルボン酸ジシクロヘキシル、３−メチル−１，２−シクロヘキサンジカルボン酸ジオクチル、３−メチル−１，２−シクロヘキサンジカルボン酸ジデシル、３−メチル−１，２−シクロヘキサンジカルボン酸ジドデシル、３−メチル−１，２−シクロヘキサンジカルボン酸ジテトラデシル、３−メチル−１，２−シクロヘキサンジカルボン酸ジヘキサデシル、３−メチル−１，２−シクロヘキサンジカルボン酸ジオクタデシル、４−メチル−１，２−シクロヘキサンジカルボン酸ジイソブチル、４−メチル−１，２−シクロヘキサンジカルボン酸ジイソヘプチル、４−メチル−１，２−シクロヘキサンジカルボン酸ジ（２−エチルヘキシル）、４−メチル−１，２−シクロヘキサンジカルボン酸ジ（ｓｅｃ−オクチル）、４−メチル−１，２−シクロヘキサンジカルボン酸ジ（３，５，５−トリメチルヘキシル）、４−メチル−１，２−シクロヘキサンジカルボン酸ジイソノニル、４−メチル−１，２−シクロヘキサンジカルボン酸ジイソデシル、４−メチル−１，２−シクロヘキサンジカルボン酸ジ（ｓｅｃ−デシル）、４−メチル−１，２−シクロヘキサンジカルボン酸ジイソウンデシル、４−メチル−１，２−シクロヘキサンジカルボン酸ジ（ｓｅｃ−ドデシル）、４−メチル−１，２−シクロヘキサンジカルボン酸ジイソトリデシル、４−メチル−１，２−シクロヘキサンジカルボン酸ジ（ｓｅｃ−テトラデシル）、４−メチル−１，２−シクロヘキサンジカルボン酸ジシクロヘキシル、４−メチル−１，２−シクロヘキサンジカルボン酸ジオクチル、４−メチル−１，２−シクロヘキサンジカルボン酸ジデシル、４−メチル−１，２−シクロヘキサンジカルボン酸ジドデシル、４−メチル−１，２−シクロヘキサンジカルボン酸ジテトラデシル、４−メチル−１，２−シクロヘキサンジカルボン酸ジヘキサデシル、４−メチル−１，２−シクロヘキサンジカルボン酸ジオクタデシル、４−シクロヘキセン−１，２−ジカルボン酸ジイソブチル、４−シクロヘキセン−１，２−ジカルボン酸ジイソヘプチル、４−シクロヘキセン−１，２−ジカルボン酸ジ（２−エチルヘキシル）、４−シクロヘキセン−１，２−ジカルボン酸ジ（ｓｅｃ−オクチル）、４−シクロヘキセン−１，２−ジカルボン酸ジ（３，５，５−トリメチルヘキシル）、４−シクロヘキセン−１，２−ジカルボン酸ジイソノニル、４−シクロヘキセン−１，２−ジカルボン酸ジイソデシル、４−シクロヘキセン−１，２−ジカルボン酸ジ（ｓｅｃ−デシル）、４−シクロヘキセン−１，２−ジカルボン酸ジイソウンデシル、４−シクロヘキセン−１，２−ジカルボン酸ジ（ｓｅｃ−ドデシル）、４−シクロヘキセン−１，２−ジカルボン酸ジイソトリデシル、４−シクロヘキセン−１，２−ジカルボン酸ジ（ｓｅｃ−テトラデシル）、４−シクロヘキセン−１，２−ジカルボン酸ジシクロヘキシル、４−シクロヘキセン−１，２−ジカルボン酸ジオクチル、４−シクロヘキセン−１，２−ジカルボン酸ジデシル、４−シクロヘキセン−１，２−ジカルボン酸ジドデシル、４−シクロヘキセン−１，２−ジカルボン酸ジテトラデシル、４−シクロヘキセン−１，２−ジカルボン酸ジヘキサデシル、４−シクロヘキセン−１，２−ジカルボン酸ジオクタデシル、３−メチル−４−シクロヘキセン−１，２−ジカルボン酸ジイソブチル、３−メチル−４−シクロヘキセン−１，２−ジカルボン酸ジイソヘプチル、３−メチル−４−シクロヘキセン−１，２−ジカルボン酸ジ（２−エチルヘキシル）、３−メチル−４−シクロヘキセン−１，２−ジカルボン酸ジ（ｓｅｃ−オクチル）、３−メチル−４−シクロヘキセン−１，２−ジカルボン酸ジ（３，５，５−トリメチルヘキシル）、３−メチル−４−シクロヘキセン−１，２−ジカルボン酸ジイソノニル、３−メチル−４−シクロヘキセン−１，２−ジカルボン酸ジイソデシル、３−メチル−４−シクロヘキセン−１，２−ジカルボン酸ジ（ｓｅｃ−デシル）、３−メチル−４−シクロヘキセン−１，２−ジカルボン酸ジイソウンデシル、３−メチル−４−シクロヘキセン−１，２−ジカルボン酸ジ（ｓｅｃ−ドデシル）、３−メチル−４−シクロヘキセン−１，２−ジカルボン酸ジイソトリデシル、３−メチル−４−シクロヘキセン−１，２−ジカルボン酸ジ（ｓｅｃ−テトラデシル）、３−メチル−４−シクロヘキセン−１，２−ジカルボン酸ジシクロヘキシル、３−メチル−４−シクロヘキセン−１，２−ジカルボン酸ジオクチル、３−メチル−４−シクロヘキセン−１，２−ジカルボン酸ジデシル、３−メチル−４−シクロヘキセン−１，２−ジカルボン酸ジドデシル、３−メチル−４−シクロヘキセン−１，２−ジカルボン酸ジテトラデシル、３−メチル−４−シクロヘキセン−１，２−ジカルボン酸ジヘキサデシル、３−メチル−４−シクロヘキセン−１，２−ジカルボン酸ジオクタデシル、４−メチル−４−シクロヘキセン−１，２−ジカルボン酸ジイソブチル、４−メチル−４−シクロヘキセン−１，２−ジカルボン酸ジイソヘプチル、４−メチル−４−シクロヘキセン−１，２−ジカルボン酸ジ（２−エチルヘキシル）、４−メチル−４−シクロヘキセン−１，２−ジカルボン酸ジ（ｓｅｃ−オクチル）、４−メチル−４−シクロヘキセン−１，２−ジカルボン酸ジ（３，５，５−トリメチルヘキシル）、４−メチル−４−シクロヘキセン−１，２−ジカルボン酸ジイソノニル、４−メチル−４−シクロヘキセン−１，２−ジカルボン酸ジイソデシル、４−メチル−４−シクロヘキセン−１，２−ジカルボン酸ジ（ｓｅｃ−デシル）、４−メチル−４−シクロヘキセン−１，２−ジカルボン酸ジイソウンデシル、４−メチル−４−シクロヘキセン−１，２−ジカルボン酸ジ（ｓｅｃ−ドデシル）、４−メチル−４−シクロヘキセン−１，２−ジカルボン酸ジイソトリデシル、４−メチル−４−シクロヘキセン−１，２−ジカルボン酸ジ（ｓｅｃ−テトラデシル）、４−メチル−４−シクロヘキセン−１，２−ジカルボン酸ジシクロヘキシル、４−メチル−４−シクロヘキセン−１，２−ジカルボン酸ジオクチル、４−メチル−４−シクロヘキセン−１，２−ジカルボン酸ジデシル、４−メチル−４−シクロヘキセン−１，２−ジカルボン酸ジドデシル、４−メチル−４−シクロヘキセン−１，２−ジカルボン酸ジテトラデシル、４−メチル−４−シクロヘキセン−１，２−ジカルボン酸ジヘキサデシル、４−メチル−４−シクロヘキセン−１，２−ジカルボン酸ジオクタデシルよりなる群から選ばれる１種又は２種以上の化合物である請求項１に記載の金属加工油組成物。
【請求項３】
脂肪族ポリアルキレングリコールが、ヘキサノール、オクタノール、デカノール、ドデカノール、テトラデカノール、ヘキサデカノール、オクタデカノール、イソヘプタノール、イソオクタノール、イソノナノール、イソデカノール、イソウンデカノール、イソドデカノール、イソトリデカノール、ｓｅｃ−オクタノール、ｓｅｃ−デカノール、ｓｅｃ−ドデカノール、ｓｅｃ−テトラデカノール、ｓｅｃ−ヘキサデカノール、ヘキサデセノールの群からなる化合物のヒドロキシ基部にエチレンオキシド、プロピレンオキシド及び／又は１，２−ブチレンオキシドを付加させて得られる化合物よりなる群から選ばれる１種又は２種以上の化合物である請求項１又は請求項２に記載の金属加工油組成物。
【発明の詳細な説明】
【０００１】
【発明の属する技術分野】
本発明は、金属加工油組成物に関し、更に詳しくは、各種金属の切削、研削、プレス加工、鍛造、押出し加工、引抜き加工等に用いる金属加工油組成物に関する。
【０００２】
【従来の技術】
従来、切削、研削、プレス加工、鍛造、押出し加工、引抜き加工等の金属加工に用いる油剤としては、鉱油や動植物油をそのまま基油として用いる不水溶性油剤と、これらの基油を潤滑性成分とし界面活性剤等により水可溶化型とした水溶性油剤が用いられてきた。近年、生産性向上のために加工の高速化と無人化が図られてきているが、不水溶性油剤を使用した際には、油剤の引火による火災発生の危険があるため、消防法上非危険物である水溶性油剤の比重が大きくなってきている。
【０００３】
これまで、水溶性油剤の基油としては、ナフテン系鉱油が主であったが、潤滑性が不足すること、水に対する親和性が小さいため水溶性とする際界面活性剤が多量に必要であること、配合系の粘度が高くなり作業性が悪くなるといった種々の欠点がある。これらの欠点を克服するため、動植物油や合成エステルを、そのままで或いは鉱油と混合した形で使用することも行われている（潤滑，２９（２）、１０１〜１０６（１９８４））。動植物油としては、牛脂やなたね油等が（切削油剤と研削油剤，ｐ１２４〜１２５（幸書房  昭和５７年））、又、合成エステルとしては、脂肪酸メチルエステル或いはトリメチロールプロパン等のネオペンチルポリオールとオレイン酸とのエステル（改訂三版油脂化学便覧、ｐ５３８〜５４０（丸善株式会社  平成２年））が主なものである。
【０００４】
しかしながら、これらの動植物油や上述エステルは、加水分解され易く、水溶性油剤として水に希釈して長時間使用されたり、長期間貯蔵した際に、水中で酸とアルコールに分解し油剤の性能が低下してくる。この結果、油剤が分離不均化したり、金属に錆や腐食や変色を生じたり、使用液が腐敗したりするといういわゆる二次性能が悪くなる。
【０００５】
又、本発明者らは、加水分解安定性が良好な基油として脂環式ポリカルボン酸エステルを用いることを提案した（特開平９−２１７０７３号）。
【０００６】
【発明が解決しようとする課題】
本発明は、潤滑性が良好で、低粘度で、安定性があり、かつ防錆性、防腐性、消泡性等の二次性能が良好な金属加工油組成物を提供することを目的とする。
【０００７】
【課題を解決するための手段】
本発明者らは、上記課題を解決すべく引き続き鋭意検討の結果、特定の脂環式ポリカルボン酸エステルと特定の脂肪族ポリアルキレングリコールとを特定量で配合することにより所定の目的が達成されることを見い出し、かかる知見に基づいて本発明を完成するに至った。
【０００８】
即ち、本発明に係る金属加工油組成物は、
一般式（１）
0003959853.tif 000002
［式中、Ａはシクロヘキサン環又はシクロヘキセン環を表す。Ｒ１ は水素原子又はメチル基を表す。Ｘは水素原子又は基−ＣＯＯＲ４を表す。Ｙは水素原子又は基−ＣＯＯＲ５ を表す。Ｒ２ 、Ｒ３ 、Ｒ４ 、Ｒ５ は同一又は異なって、炭素数３〜１８の分岐状のアルキル基、炭素数３〜１０のシクロアルキル基、又は、炭素数１〜１８の直鎖状のアルキル基を表す。］で表される脂環式ポリカルボン酸エステル（以下、「本エステル」という。）の１種又は２種以上を３〜８０重量％及び一般式（２）
Ｒ６Ｏ（ＢＯ）ｎＨ （２）
［式中、Ｒ６ は水素原子、炭素数１〜２２の直鎖状アルキル基、炭素数１６〜２２の直鎖状アルケニル基又は炭素数７〜１８の分岐状アルキル基を表す。Ｂは炭素数２〜４のアルキレン基を表す。ｎは１〜５０の整数を表す。］で表される脂肪族ポリアルキレングリコールの１種又は２種以上を０．５〜３０重量％含有することを特徴とする。
【０００９】
【発明の実施の形態】
本エステルは、所定の酸成分とアルコール成分とを常法に従って、好ましくは窒素等の不活化ガス雰囲気下、エステル化触媒の存在下又は無触媒下で加熱撹拌しながらエステル化することにより調製される化合物である。
【００１０】
本発明に係る酸成分としては、シクロヘキサンポリカルボン酸又はシクロヘキセンポリカルボン酸及びそれらの酸無水物が挙げられ、各々のカルボキシル基の置換位置は問わない。
【００１１】
具体的には、１，２−シクロヘキサンジカルボン酸、４−シクロヘキセン−１，２−ジカルボン酸、１−シクロヘキセン−１，２−ジカルボン酸、１，３−シクロヘキサンジカルボン酸、１，４−シクロヘキサンジカルボン酸、３−メチル−１，２−シクロヘキサンジカルボン酸、４−メチル−１，２−シクロヘキサンジカルボン酸、３−メチル−４−シクロヘキセン−１，２−ジカルボン酸、４−メチル−４−シクロヘキセン−１，２−ジカルボン酸、１，２，４−シクロヘキサントリカルボン酸、１，３，５−シクロヘキサントリカルボン酸、１，２，４，５−シクロヘキサンテトラカルボン酸及びそれらの酸無水物が例示され、中でも１，２−シクロヘキサンジカルボン酸、３−メチル−１，２−シクロヘキサンジカルボン酸、４−メチル−１，２−シクロヘキサンジカルボン酸、４−シクロヘキセン−１，２−ジカルボン酸、３−メチル−４−シクロヘキセン−１，２−ジカルボン酸、４−メチル−４−シクロヘキセン−１，２−ジカルボン酸及びそれらの酸無水物が好ましい。
【００１２】
上記酸成分は、前述のカルボン酸又はその酸無水物を単独で用いることも可能であり、又、２種以上の化合物を用いてエステル化することも可能である。
【００１３】
本エステルを構成するアルコール成分としては、炭素数３〜１８の分岐状飽和アルコール、炭素数３〜１０のシクロアルコール、炭素数１〜１８の直鎖状飽和アルコール及び炭素数１６〜２２の直鎖状不飽和アルコールが挙げられる。
【００１４】
炭素数３〜１８の分岐状飽和アルコールとしては、イソプロパノール、イソブタノール、ｓｅｃ−ブタノール、イソペンタノール、イソヘキサノール、２−メチルヘキサノール、１−メチルヘプタノール、２−メチルヘプタノール、イソヘプタノール、２−エチルヘキサノール、ｓｅｃ−オクタノール、イソオクタノール、３，５，５−トリメチルヘキサノール、イソノナノール、ｓｅｃ−デカノール、イソデカノール、ｓｅｃ−ドデカノール、イソウンデカノール、イソドデカノール、イソトリデカノール、ｓｅｃ−テトラデカノール、イソテトラデカノール、ｓｅｃ−ヘキサデカノール、イソヘキサデカノール、ｓｅｃ−オクタデカノール、イソオクタデカノール、２，６−ジメチル−４−ヘプタノール等が例示される。
【００１５】
炭素数３〜１０のシクロアルコールとしては、シクロヘキサノール、メチルシクロヘキサノール、ジメチルシクロヘキサノール等を例示できる。
【００１６】
炭素数１〜１８の直鎖状飽和アルコールとしては、メタノール、エタノール、プロパノール、ブタノール，ペンタノール、ヘキサノール、ヘプタノール、オクタノール、ノナノール、デカノール、ドデカノール、テトラデカノール、ヘキサデカノール、オクタデカノール等が例示できる。
【００１８】
アルコール成分は、上記アルコールを単独で用いることも可能であり、又、２種以上のアルコール混合物を用いてエステル化することも可能である。
【００１９】
更に、上記酸成分、アルコール成分の代わりに当該酸成分の低級アルコールエステル及び／又は当該アルコール成分の酢酸エステル、プロピオン酸エステル等を用いて、エステル交換反応により本エステルを得ることも可能である。
【００２０】
又、本エステルは、相当する芳香族ポリカルボン酸エステルを核水添することによっても得ることができる。
【００２１】
本エステルは、夫々単独で又は２種以上を適宜組み合わせて適用され、その構造上、脂環式ポリカルボン酸分岐アルキルエステル、脂環式ポリカルボン酸シクロアルキルエステル、脂環式ポリカルボン酸直鎖アルキルエステル及び脂環式ポリカルボン酸アルケニルエステルを包含する。
【００２２】
脂環式ポリカルボン酸分岐アルキルエステルとしては、１，２−シクロヘキサンジカルボン酸ジイソブチル、１，２−シクロヘキサンジカルボン酸ジイソヘプチル、１，２−シクロヘキサンジカルボン酸ジ（２−エチルヘキシル）、１，２−シクロヘキサンジカルボン酸ジ（ｓｅｃ−オクチル）、１，２−シクロヘキサンジカルボン酸ジ（３，５，５−トリメチルヘキシル）、１，２−シクロヘキサンジカルボン酸ジ（２，６−ジメチル−４−ヘプチル）、１，２−シクロヘキサンジカルボン酸ジイソノニル、１，２−シクロヘキサンジカルボン酸ジイソデシル、１，２−シクロヘキサンジカルボン酸ジ（ｓｅｃ−デシル）、１，２−シクロヘキサンジカルボン酸ジイソウンデシル、１，２−シクロヘキサンジカルボン酸ジ（ｓｅｃ−ドデシル）、１，２−シクロヘキサンジカルボン酸ジイソトリデシル、１，２−シクロヘキサンジカルボン酸ジ（ｓｅｃ−テトラデシル）、４−シクロヘキセン−１，２−ジカルボン酸ジイソブチル、４−シクロヘキセン−１，２−ジカルボン酸ジイソヘプチル、４−シクロヘキセン−１，２−ジカルボン酸ジ（２−エチルヘキシル）、４−シクロヘキセン−１，２−ジカルボン酸ジ（ｓｅｃ−オクチル）、４−シクロヘキセン−１，２−ジカルボン酸ジ（３，５，５−トリメチルヘキシル）、４−シクロヘキセン−１，２−ジカルボン酸ジ（２，６−ジメチル−４−ヘプチル）、４−シクロヘキセン−１，２−ジカルボン酸ジイソノニル、４−シクロヘキセン−１，２−ジカルボン酸ジイソデシル、４−シクロヘキセン−１，２−ジカルボン酸ジ（ｓｅｃ−デシル）、４−シクロヘキセン−１，２−ジカルボン酸ジイソウンデシル、４−シクロヘキセン−１，２−ジカルボン酸ジ（ｓｅｃ−ドデシル）、４−シクロヘキセン−１，２−ジカルボン酸ジイソトリデシル、４−シクロヘキセン−１，２−ジカルボン酸ジ（ｓｅｃ−テトラデシル）、３−メチル−１，２−シクロヘキサンジカルボン酸ジイソブチル、３−メチル−１，２−シクロヘキサンジカルボン酸ジイソヘプチル、３−メチル−１，２−シクロヘキサンジカルボン酸ジ（２−エチルヘキシル）、３−メチル−１，２−シクロヘキサンジカルボン酸ジ（ｓｅｃ−オクチル）、３−メチル−１，２−シクロヘキサンジカルボン酸ジ（３，５，５−トリメチルヘキシル）、３−メチル−１，２−シクロヘキサンジカルボン酸ジ（２，６−ジメチル−４−ヘプチル）、３−メチル−１，２−シクロヘキサンジカルボン酸ジイソノニル、３−メチル−１，２−シクロヘキサンジカルボン酸ジイソデシル、３−メチル−１，２−シクロヘキサンジカルボン酸ジ（ｓｅｃ−デシル）、３−メチル−１，２−シクロヘキサンジカルボン酸ジイソウンデシル、３−メチル−１，２−シクロヘキサンジカルボン酸ジ（ｓｅｃ−ドデシル）、３−メチル−１，２−シクロヘキサンジカルボン酸ジイソトリデシル、３−メチル−１，２−シクロヘキサンジカルボン酸ジ（ｓｅｃ−テトラデシル）、４−メチル−１，２−シクロヘキサンジカルボン酸ジイソブチル、４−メチル−１，２−シクロヘキサンジカルボン酸ジイソヘプチル、４−メチル−１，２−シクロヘキサンジカルボン酸ジ（２−エチルヘキシル）、４−メチル−１，２−シクロヘキサンジカルボン酸ジ（ｓｅｃ−オクチル）、４−メチル−１，２−シクロヘキサンジカルボン酸ジ（３，５，５−トリメチルヘキシル）、４−メチル−１，２−シクロヘキサンジカルボン酸ジ（２，６−ジメチル−４−ヘプチル）、４−メチル−１，２−シクロヘキサンジカルボン酸ジイソノニル、４−メチル−１，２−シクロヘキサンジカルボン酸ジイソデシル、４−メチル−１，２−シクロヘキサンジカルボン酸ジ（ｓｅｃ−デシル）、４−メチル−１，２−シクロヘキサンジカルボン酸ジイソウンデシル、４−メチル−１，２−シクロヘキサンジカルボン酸ジ（ｓｅｃ−ドデシル）、４−メチル−１，２−シクロヘキサンジカルボン酸ジイソトリデシル、４−メチル−１，２−シクロヘキサンジカルボン酸ジ（ｓｅｃ−テトラデシル）、３−メチル−４−シクロヘキセン−１，２−ジカルボン酸ジイソブチル、３−メチル−４−シクロヘキセン−１，２−ジカルボン酸ジイソヘプチル、３−メチル−４−シクロヘキセン−１，２−ジカルボン酸ジ（２−エチルヘキシル）、３−メチル−４−シクロヘキセン−１，２−ジカルボン酸ジ（ｓｅｃ−オクチル）、３−メチル−４−シクロヘキセン−１，２−ジカルボン酸ジ（３，５，５−トリメチルヘキシル）、３−メチル−４−シクロヘキセン−１，２−ジカルボン酸ジ（２，６−ジメチル−４−ヘプチル）、３−メチル−４−シクロヘキセン−１，２−ジカルボン酸ジイソノニル、３−メチル−４−シクロヘキセン−１，２−ジカルボン酸ジイソデシル、３−メチル−４−シクロヘキセン−１，２−ジカルボン酸ジ（ｓｅｃ−デシル）、３−メチル−４−シクロヘキセン−１，２−ジカルボン酸ジイソウンデシル、３−メチル−４−シクロヘキセン−１，２−ジカルボン酸ジ（ｓｅｃ−ドデシル）、３−メチル−４−シクロヘキセン−１，２−ジカルボン酸ジイソトリデシル、３−メチル−４−シクロヘキセン−１，２−ジカルボン酸ジ（ｓｅｃ−テトラデシル）、４−メチル−４−シクロヘキセン−１，２−ジカルボン酸ジイソブチル、４−メチル−４−シクロヘキセン−１，２−ジカルボン酸ジイソヘプチル、４−メチル−４−シクロヘキセン−１，２−ジカルボン酸ジ（２−エチルヘキシル）、４−メチル−４−シクロヘキセン−１，２−ジカルボン酸ジ（ｓｅｃ−オクチル）、４−メチル−４−シクロヘキセン−１，２−ジカルボン酸ジ（３，５，５−トリメチルヘキシル）、４−メチル−４−シクロヘキセン−１，２−ジカルボン酸ジ（２，６−ジメチル−４−ヘプチル）、４−メチル−４−シクロヘキセン−１，２−ジカルボン酸ジイソノニル、４−メチル−４−シクロヘキセン−１，２−ジカルボン酸ジイソデシル、４−メチル−４−シクロヘキセン−１，２−ジカルボン酸ジ（ｓｅｃ−デシル）、４−メチル−４−シクロヘキセン−１，２−ジカルボン酸ジイソウンデシル、４−メチル−４−シクロヘキセン−１，２−ジカルボン酸ジ（ｓｅｃ−ドデシル）、４−メチル−４−シクロヘキセン−１，２−ジカルボン酸ジイソトリデシル、４−メチル−４−シクロヘキセン−１，２−ジカルボン酸ジ（ｓｅｃ−テトラデシル）よりなる群から選ばれる１種又は２種以上のエステルが推奨される。この中でも、特に１，２−シクロヘキサンジカルボン酸ジイソブチル、１，２−シクロヘキサンジカルボン酸ジイソヘプチル、１，２−シクロヘキサンジカルボン酸ジ（２−エチルヘキシル）、１，２−シクロヘキサンジカルボン酸ジ（ｓｅｃ−オクチル）、１，２−シクロヘキサンジカルボン酸ジ（３，５，５−トリメチルヘキシル）、１，２−シクロヘキサンジカルボン酸ジイソノニル、１，２−シクロヘキサンジカルボン酸ジイソデシル、１，２−シクロヘキサンジカルボン酸ジ（ｓｅｃ−デシル）、１，２−シクロヘキサンジカルボン酸ジイソウンデシル、１，２−シクロヘキサンジカルボン酸ジ（ｓｅｃ−ドデシル）、１，２−シクロヘキサンジカルボン酸ジイソトリデシル、１，２−シクロヘキサンジカルボン酸ジ（ｓｅｃ−テトラデシル）、４−シクロヘキセン−１，２−ジカルボン酸ジイソブチル、４−シクロヘキセン−１，２−ジカルボン酸ジイソヘプチル、４−シクロヘキセン−１，２−ジカルボン酸ジ（２−エチルヘキシル）、４−シクロヘキセン−１，２−ジカルボン酸ジ（ｓｅｃ−オクチル）、４−シクロヘキセン−１，２−ジカルボン酸ジ（３，５，５−トリメチルヘキシル）、４−シクロヘキセン−１，２−ジカルボン酸ジイソノニル、４−シクロヘキセン−１，２−ジカルボン酸ジイソデシル、４−シクロヘキセン−１，２−ジカルボン酸ジ（ｓｅｃ−デシル）、４−シクロヘキセン−１，２−ジカルボン酸ジイソウンデシル、４−シクロヘキセン−１，２−ジカルボン酸ジ（ｓｅｃ−ドデシル）、４−シクロヘキセン−１，２−ジカルボン酸ジイソトリデシル、４−シクロヘキセン−１，２−ジカルボン酸ジ（ｓｅｃ−テトラデシル）、３−メチル−１，２−シクロヘキサンジカルボン酸ジイソブチル、３−メチル−１，２−シクロヘキサンジカルボン酸ジイソヘプチル、３−メチル−１，２−シクロヘキサンジカルボン酸ジ（２−エチルヘキシル）、３−メチル−１，２−シクロヘキサンジカルボン酸ジ（ｓｅｃ−オクチル）、３−メチル−１，２−シクロヘキサンジカルボン酸ジ（３，５，５−トリメチルヘキシル）、３−メチル−１，２−シクロヘキサンジカルボン酸ジイソノニル、３−メチル−１，２−シクロヘキサンジカルボン酸ジイソデシル、３−メチル−１，２−シクロヘキサンジカルボン酸ジ（ｓｅｃ−デシル）、３−メチル−１，２−シクロヘキサンジカルボン酸ジイソウンデシル、３−メチル−１，２−シクロヘキサンジカルボン酸ジ（ｓｅｃ−ドデシル）、３−メチル−１，２−シクロヘキサンジカルボン酸ジイソトリデシル、３−メチル−１，２−シクロヘキサンジカルボン酸ジ（ｓｅｃ−テトラデシル）、４−メチル−１，２−シクロヘキサンジカルボン酸ジイソブチル、４−メチル−１，２−シクロヘキサンジカルボン酸ジイソヘプチル、４−メチル−１，２−シクロヘキサンジカルボン酸ジ（２−エチルヘキシル）、４−メチル−１，２−シクロヘキサンジカルボン酸ジ（ｓｅｃ−オクチル）、４−メチル−１，２−シクロヘキサンジカルボン酸ジ（３，５，５−トリメチルヘキシル）、４−メチル−１，２−シクロヘキサンジカルボン酸ジイソノニル、４−メチル−１，２−シクロヘキサンジカルボン酸ジイソデシル、４−メチル−１，２−シクロヘキサンジカルボン酸ジ（ｓｅｃ−デシル）、４−メチル−１，２−シクロヘキサンジカルボン酸ジイソウンデシル、４−メチル−１，２−シクロヘキサンジカルボン酸ジ（ｓｅｃ−ドデシル）、４−メチル−１，２−シクロヘキサンジカルボン酸ジイソトリデシル、４−メチル−１，２−シクロヘキサンジカルボン酸ジ（ｓｅｃ−テトラデシル）、３−メチル−４−シクロヘキセン−１，２−ジカルボン酸ジイソブチル、３−メチル−４−シクロヘキセン−１，２−ジカルボン酸ジイソヘプチル、３−メチル−４−シクロヘキセン−１，２−ジカルボン酸ジ（２−エチルヘキシル）、３−メチル−４−シクロヘキセン−１，２−ジカルボン酸ジ（ｓｅｃ−オクチル）、３−メチル−４−シクロヘキセン−１，２−ジカルボン酸ジ（３，５，５−トリメチルヘキシル）、３−メチル−４−シクロヘキセン−１，２−ジカルボン酸ジイソノニル、３−メチル−４−シクロヘキセン−１，２−ジカルボン酸ジイソデシル、３−メチル−４−シクロヘキセン−１，２−ジカルボン酸ジ（ｓｅｃ−デシル）、３−メチル−４−シクロヘキセン−１，２−ジカルボン酸ジイソウンデシル、３−メチル−４−シクロヘキセン−１，２−ジカルボン酸ジ（ｓｅｃ−ドデシル）、３−メチル−４−シクロヘキセン−１，２−ジカルボン酸ジイソトリデシル、３−メチル−４−シクロヘキセン−１，２−ジカルボン酸ジ（ｓｅｃ−テトラデシル）、４−メチル−４−シクロヘキセン−１，２−ジカルボン酸ジイソブチル、４−メチル−４−シクロヘキセン−１，２−ジカルボン酸ジイソヘプチル、４−メチル−４−シクロヘキセン−１，２−ジカルボン酸ジ（２−エチルヘキシル）、４−メチル−４−シクロヘキセン−１，２−ジカルボン酸ジ（ｓｅｃ−オクチル）、４−メチル−４−シクロヘキセン−１，２−ジカルボン酸ジ（３，５，５−トリメチルヘキシル）、４−メチル−４−シクロヘキセン−１，２−ジカルボン酸ジイソノニル、４−メチル−４−シクロヘキセン−１，２−ジカルボン酸ジイソデシル、４−メチル−４−シクロヘキセン−１，２−ジカルボン酸ジ（ｓｅｃ−デシル）、４−メチル−４−シクロヘキセン−１，２−ジカルボン酸ジイソウンデシル、４−メチル−４−シクロヘキセン−１，２−ジカルボン酸ジ（ｓｅｃ−ドデシル）、４−メチル−４−シクロヘキセン−１，２−ジカルボン酸ジイソトリデシル、４−メチル−４−シクロヘキセン−１，２−ジカルボン酸ジ（ｓｅｃ−テトラデシル）よりなる群から選ばれる１種又は２種以上のエステルが推奨される。
【００２３】
脂環式ポリカルボン酸シクロアルキルエステルとしては、１，２−シクロヘキサンジカルボン酸ジシクロヘキシル、１，２−シクロヘキサンジカルボン酸ジメチルシクロヘキシル、４−シクロヘキセン−１，２−ジカルボン酸ジシクロヘキシル、４−シクロヘキセン−１，２−ジカルボン酸ジメチルシクロヘキシル、３−メチル−１，２−シクロヘキサンジカルボン酸ジシクロヘキシル、３−メチル−１，２−シクロヘキサンジカルボン酸ジメチルシクロヘキシル、４−メチル−１，２−シクロヘキサンジカルボン酸ジシクロヘキシル、４−メチル−１，２−シクロヘキサンジカルボン酸ジメチルシクロヘキシル、３−メチル−４−シクロヘキセン−１，２−ジカルボン酸ジシクロヘキシル、３−メチル−４−シクロヘキセン−１，２−ジカルボン酸ジメチルシクロヘキシル、４−メチル−４−シクロヘキセン−１，２−ジカルボン酸ジシクロヘキシル、４−メチル−４−シクロヘキセン−１，２−ジカルボン酸ジメチルシクロヘキシルよりなる群から選ばれる１種又は２種以上のエステルが推奨される。この中でも、特に１，２−シクロヘキサンジカルボン酸ジシクロヘキシル、４−シクロヘキセン−１，２−ジカルボン酸ジシクロヘキシル、３−メチル−１，２−シクロヘキサンジカルボン酸ジシクロヘキシル、４−メチル−１，２−シクロヘキサンジカルボン酸ジシクロヘキシル、３−メチル−４−シクロヘキセン−１，２−ジカルボン酸ジシクロヘキシル、４−メチル−４−シクロヘキセン−１，２−ジカルボン酸ジシクロヘキシルよりなる群から選ばれる１種又は２種以上のエステルが推奨される。
【００２４】
脂環式ポリカルボン酸直鎖アルキルエステルとしては、１，２−シクロヘキサンジカルボン酸ジヘキシル、１，２−シクロヘキサンジカルボン酸ジオクチル、１，２−シクロヘキサンジカルボン酸ジデシル、１，２−シクロヘキサンジカルボン酸ジドデシル、１，２−シクロヘキサンジカルボン酸ジテトラデシル、１，２−シクロヘキサンジカルボン酸ジヘキサデシル、１，２−シクロヘキサンジカルボン酸ジオクタデシル、４−シクロヘキセン−１，２−ジカルボン酸ジヘキシル、４−シクロヘキセン−１，２−ジカルボン酸ジオクチル、４−シクロヘキセン−１，２−ジカルボン酸ジデシル、４−シクロヘキセン−１，２−ジカルボン酸ジドデシル、４−シクロヘキセン−１，２−ジカルボン酸ジテトラデシル、４−シクロヘキセン−１，２−ジカルボン酸ジヘキサデシル、４−シクロヘキセン−１，２−ジカルボン酸ジオクタデシル、３−メチル−１，２−シクロヘキサンジカルボン酸ジヘキシル、３−メチル−１，２−シクロヘキサンジカルボン酸ジオクチル、３−メチル−１，２−シクロヘキサンジカルボン酸ジデシル、３−メチル−１，２−シクロヘキサンジカルボン酸ジドデシル、３−メチル−１，２−シクロヘキサンジカルボン酸ジテトラデシル、３−メチル−１，２−シクロヘキサンジカルボン酸ジヘキサデシル、３−メチル−１，２−シクロヘキサンジカルボン酸ジオクタデシル、４−メチル−１，２−シクロヘキサンジカルボン酸ジヘキシル、４−メチル−１，２−シクロヘキサンジカルボン酸ジオクチル、４−メチル−１，２−シクロヘキサンジカルボン酸ジデシル、４−メチル−１，２−シクロヘキサンジカルボン酸ジドデシル、４−メチル−１，２−シクロヘキサンジカルボン酸ジテトラデシル、４−メチル−１，２−シクロヘキサンジカルボン酸ジヘキサデシル、４−メチル−１，２−シクロヘキサンジカルボン酸ジオクタデシル、３−メチル−４−シクロヘキセン−１，２−ジカルボン酸ジヘキシル、３−メチル−４−シクロヘキセン−１，２−ジカルボン酸ジオクチル、３−メチル−４−シクロヘキセン−１，２−ジカルボン酸ジデシル、３−メチル−４−シクロヘキセン−１，２−ジカルボン酸ジドデシル、３−メチル−４−シクロヘキセン−１，２−ジカルボン酸ジテトラデシル、３−メチル−４−シクロヘキセン−１，２−ジカルボン酸ジヘキサデシル、３−メチル−４−シクロヘキセン−１，２−ジカルボン酸ジオクタデシル、４−メチル−４−シクロヘキセン−１，２−ジカルボン酸ジヘキシル、４−メチル−４−シクロヘキセン−１，２−ジカルボン酸ジオクチル、４−メチル−４−シクロヘキセン−１，２−ジカルボン酸ジデシル、４−メチル−４−シクロヘキセン−１，２−ジカルボン酸ジドデシル、４−メチル−４−シクロヘキセン−１，２−ジカルボン酸ジテトラデシル、４−メチル−４−シクロヘキセン−１，２−ジカルボン酸ジヘキサデシル、４−メチル−４−シクロヘキセン−１，２−ジカルボン酸ジオクタデシルよりなる群から選ばれる１種又は２種以上のエステルが推奨される。この中でも、特に１，２−シクロヘキサンジカルボン酸ジオクチル、１，２−シクロヘキサンジカルボン酸ジデシル、１，２−シクロヘキサンジカルボン酸ジドデシル、１，２−シクロヘキサンジカルボン酸ジテトラデシル、１，２−シクロヘキサンジカルボン酸ジヘキサデシル、１，２−シクロヘキサンジカルボン酸ジオクタデシル、４−シクロヘキセン−１，２−ジカルボン酸ジオクチル、４−シクロヘキセン−１，２−ジカルボン酸ジデシル、４−シクロヘキセン−１，２−ジカルボン酸ジドデシル、４−シクロヘキセン−１，２−ジカルボン酸ジテトラデシル、４−シクロヘキセン−１，２−ジカルボン酸ジヘキサデシル、４−シクロヘキセン−１，２−ジカルボン酸ジオクタデシル、３−メチル−１，２−シクロヘキサンジカルボン酸ジオクチル、３−メチル−１，２−シクロヘキサンジカルボン酸ジデシル、３−メチル−１，２−シクロヘキサンジカルボン酸ジドデシル、３−メチル−１，２−シクロヘキサンジカルボン酸ジテトラデシル、３−メチル−１，２−シクロヘキサンジカルボン酸ジヘキサデシル、３−メチル−１，２−シクロヘキサンジカルボン酸ジオクタデシル、４−メチル−１，２−シクロヘキサンジカルボン酸ジオクチル、４−メチル−１，２−シクロヘキサンジカルボン酸ジデシル、４−メチル−１，２−シクロヘキサンジカルボン酸ジドデシル、４−メチル−１，２−シクロヘキサンジカルボン酸ジテトラデシル、４−メチル−１，２−シクロヘキサンジカルボン酸ジヘキサデシル、４−メチル−１，２−シクロヘキサンジカルボン酸ジオクタデシル、３−メチル−４−シクロヘキセン−１，２−ジカルボン酸ジオクチル、３−メチル−４−シクロヘキセン−１，２−ジカルボン酸ジデシル、３−メチル−４−シクロヘキセン−１，２−ジカルボン酸ジドデシル、３−メチル−４−シクロヘキセン−１，２−ジカルボン酸ジテトラデシル、３−メチル−４−シクロヘキセン−１，２−ジカルボン酸ジヘキサデシル、３−メチル−４−シクロヘキセン−１，２−ジカルボン酸ジオクタデシル、４−メチル−４−シクロヘキセン−１，２−ジカルボン酸ジオクチル、４−メチル−４−シクロヘキセン−１，２−ジカルボン酸ジデシル、４−メチル−４−シクロヘキセン−１，２−ジカルボン酸ジドデシル、４−メチル−４−シクロヘキセン−１，２−ジカルボン酸ジテトラデシル、４−メチル−４−シクロヘキセン−１，２−ジカルボン酸ジヘキサデシル、４−メチル−４−シクロヘキセン−１，２−ジカルボン酸ジオクタデシルよりなる群から選ばれる１種又は２種以上のエステルが推奨される。
【００２６】
本発明に係る脂肪族ポリアルキレングリコールは、ヒドロキシ基を有する化合物のヒドロキシ基にアルキレンオキシドを付加させて得られる化合物である。
【００２７】
ヒドロキシ基を有する化合物としては、メタノール、エタノール、プロパノール、ブタノール、ペンタノール、ヘキサノール、オクタノール、デカノール、ドデカノール、テトラデカノール、ヘキサデカノール、オクタデカノール、イソヘプタノール、イソオクタノール、イソノナノール、イソデカノール、イソウンデカノール、イソドデカノール、イソトリデカノール、ｓｅｃ−オクタノール、ｓｅｃ−デカノール、ｓｅｃ−ドデカノール、ｓｅｃ−テトラデカノール、ｓｅｃ−ヘキサデカノール、ヘキサデセノール、オクタデセノール等が例示される。
【００２８】
アルキレンオキシドとしては、エチレンオキシド（ＥＯ）、プロピレンオキシド（ＰＯ）、１，２−ブチレンオキシド（ＢＯ）等が例示される。このとき、２種以上のアルキレンオキシドを付加させる際の形態は、ブロック、ランダム等、特に限定されるものではない。
【００２９】
アルキレンオキシドの付加モル数は１以上であり、特に１〜５０モル、中でも５〜３０モルの範囲であることが好ましい。
【００３０】
脂肪族ポリアルキレングリコールの内、特にヘキサノール、オクタノール、デカノール、ドデカノール、テトラデカノール、ヘキサデカノール、オクタデカノール、イソヘプタノール、イソオクタノール、イソノナノール、イソデカノール、イソウンデカノール、イソドデカノール、イソトリデカノール、ｓｅｃ−オクタノール、ｓｅｃ−デカノール、ｓｅｃ−ドデカノール、ｓｅｃ−テトラデカノール、ｓｅｃ−ヘキサデカノール、ヘキサデセノール、オクタデセノールの群からなる化合物の１種又は２種以上のヒドロキシ基部にエチレンオキシド、プロピレンオキシド及び／又は１，２−ブチレンオキシドを付加させて得られる化合物よりなる群から選ばれる１種又は２種以上の化合物が推奨される。
【００３１】
本エステルと脂肪族ポリアルキレングリコールの組み合わせとしては、推奨されるものとして挙げた本エステル及び脂肪族ポリアルキレングリコールを用いれば良く、特に限定されない。
【００３２】
本発明に係る金属加工油組成物中の本エステルの配合量としては、３〜８０重量％が推奨され、特に５〜６０重量％が好ましい。３重量％未満では潤滑性が不足する傾向があり、一方、８０％重量を越えて配合した場合には系の安定性に欠ける傾向があり、又、経済的でない。
【００３３】
又、本発明に係る金属加工油組成物中の脂肪族ポリアルキレングリコールの配合量としては、０．５〜３０重量％が推奨され、特に３〜２０重量％が好ましい。０．５重量％未満では可溶化能に乏しく、３０重量％を越えて配合した場合には起泡性が大きくなり好ましくない。
【００３４】
本発明に係る金属加工油組成物には、本エステルと脂肪族ポリアルキレングリコール以外に他の基油、界面活性剤、極圧添加剤、錆止め剤、気相錆止め剤、金属防食剤、カップリング剤、流動点降下剤、増粘剤、防腐殺菌剤、消泡剤、染料、香料、その他の公知の添加剤の１種又は２種以上を適宜配合することも可能である。
【００３５】
他の基油としては、鉱油、合成炭化水素油、動植物油、本エステル以外のエステルが例示される。
【００３６】
鉱油としては、パラフィン基系原油、ナフテン基系原油及びこれら原油を蒸留、水素化、脱ロウ等の工程を経て得られる精製鉱油等が例示される。
【００３７】
合成炭化水素油としては、低分子量ポリブテン、低分子量ポリプロピレン、更には、炭素数８から１４のα−オレフィンオリゴマー及びこれらの水素添加物、アルキルベンゼン等が例示される。
【００３８】
動植物油としては、牛脂、豚脂、パーム油、ヤシ油、なたね油、ひまし油等が例示される。
【００３９】
本エステル以外のエステルとしては、脂肪酸モノエステル、アジピン酸エステル、アゼライン酸エステル、セバシン酸エステル、フタル酸エステル、トリメリット酸エステル及びポリオールエステル等が例示される。
【００４０】
他の基油の金属加工油組成物における該配合量としては、３〜６０重量％が例示される。
【００４１】
界面活性剤としては、脂肪酸石けん、高級アルコール硫酸エステル、アルキルスルホン酸塩等のアニオン系界面活性剤及びグリセリンポリアルキレンオキシド付加物やポリグリセリンポリアルキレンオキシド付加物等の多価アルコールのポリアルキレンオキシド付加物、アルキロールアミドタイプ等の非イオン系界面活性剤等が例示され、通常、金属加工油組成物における該配合量としては、０．５〜２０重量％が好ましい。
【００４２】
極圧添加剤としては、塩素化パラフィン、塩素化脂肪酸、塩素化脂肪酸エステル等の塩素系、硫化鉱油、硫化油脂、硫化脂肪酸、硫化オレフィン等の硫黄系、リン酸エステル、亜リン酸エステル等のリン系等が主であるが、有機金属化合物、固体潤滑剤を配合することもある。通常、金属加工油組成物中０．５〜２０重量％で配合されるのが好ましい。
【００４３】
錆止め剤としては、カルボン酸塩、石油スルホン酸塩、合成系スルホン酸塩等のスルホン酸塩、ジエタノールアミン、トリエタノールアミン、シクロヘキシルアミンエチレンオキシド付加物等のアミン類、オレイン酸ジエタノールアミド、アジピン酸シクロヘキシルアミド等のアミド類、ソルビタンオレエート等のエステル類、アジピン酸、セバシン酸、アゼライン酸、ドデカン二酸等の二塩基酸類、亜硝酸塩、リン酸塩、ホウ酸塩等の無機系のものが例示される。通常、金属加工油組成物中０．５〜２０重量％で配合されるのが好ましい。
【００４４】
気相錆止め剤としては、低級アミンの亜硝酸塩、モルホリン、シクロヘキシルアミン等が例示され、通常、金属加工油組成物中０．５〜２０重量％で配合されるのが好ましい。
【００４５】
金属防食剤としては、ベンゾトリアゾール、アルキルベンゾトリアゾール、イミダゾリン、メルカプトベンゾチアゾール、チオジアゾールポリスルフィド等が例示され、通常、金属加工油組成物中０．０１〜５重量％で配合されるのが好ましい。
【００４６】
カップリング剤としては、ブチルジグリコール、ブチルセロソルブ等が例示され、通常、金属加工油組成物中０．２〜２０重量％で配合されるのが好ましい。
【００４７】
流動点降下剤としては、エチレングリコール、プロピレングリコール等が例示され、通常、金属加工油組成物中０．２〜２０重量％で配合されるのが好ましい。
【００４８】
増粘剤としては、ポリアルキレングリコール類、セルロース誘導体、ポリアクリル酸ソーダ、アルキロールアミド類、炭酸カルシウム、酸化アルミニウム等が例示され、通常、金属加工油組成物中０．２〜２０重量％で配合されるのが好ましい。
【００４９】
防腐殺菌剤としては、ｏ−フェニルフェノール、ｐ−クロロ−ｍ−キシレノール、ｐ−クロロ−ｍ−クレゾール等のフェノール系、ヘキサヒドロ−１，３，５−トリス（２−ヒドロキシエチル）トリアジン等のトリアジン系、１，２−ベンズイソチアゾリン−３−オンや２−メチル−４−イソチアゾリン−３−オン等のチアゾリン系、４，４−ジメチル−１，３−オキサゾリジン等のオキサゾリジン系、４−（２−ニトロブチル）モルホリン等のモルホリン系、２−（４−チアゾリル）ベンズイミダゾール、２−メトキシカルボニルアミノベンズイミダゾール等のイミダゾール系、ソディウム−２−ピリジンチオール−１−オキシド、２，３，５，６−テトラクロロ−４−（メチルスルホニル）ピリジン等のピリジン系、ステアリルジメチルベンザルコニウム等のカチオン系等が例示され、通常、金属加工油組成物中０．１〜１０重量％で配合されるのが好ましい。
【００５０】
消泡剤としては、鉱油、シリコーン、高級アルコール、高級脂肪酸、ポリアルキレングリコール、ワックス、フッ素系ポリエーテル等が例示され、通常、金属加工油組成物中０．０００５〜１．０重量％の量で配合されるのが好ましい。
【００５１】
本発明に係る金属加工油組成物は、水により５〜１００倍、好ましくは１０〜５０倍に希釈して用いられる。
【００５２】
【実施例】
以下、実施例を掲げて本発明を詳しく説明するが、本発明は実施例に限定されるものではない。尚、各例における金属加工油組成物の特性は、以下の方法により評価した。
【００５３】
摩擦係数測定
試料を３０倍に希釈し、２５℃下、曽田式振子摩擦試験機を用いて測定した。
【００５４】
粘度測定
ウベローデ粘度計を用いて４０℃における動粘度を測定した。
【００５５】
防錆性試験
３０倍に希釈した試料液に鋳鉄切粉を浸した後試料液を除き、切粉に錆が発生するまでの時間を測定した。２時間以上を○、２時間未満を×で表示した。
【００５６】
防腐性試験
３０倍に希釈した試料液に栄養素、鋳鉄切粉、腐敗液を加えて３６℃で１週間熟成した液を寒天培地で培養し、プレートカウント法で防腐性を調べた。菌数が１０３個／ｍｌ未満を○、１０３個／ｍｌ以上を×で表示した。
【００５７】
安定性試験
２０倍に希釈した試料液を室温下放置し、７日後の外観により安定性を判定した。均一状態を○、やや油分が分離した状態を△、油分がかなり分離した状態を×で表示した。
【００５８】
消泡性試験
２０倍に希釈した試料液５０ｍｌを１００ｍｌの共栓付きメスシリンダーに入れ、激しく振とう後、直後と５秒後の泡高さを測定し判定した。泡高さが１０ｍｍ以下を○、１１〜２９ｍｍを△、３０ｍｍ以上を×で表示した。
【００５９】
実施例１
本エステルとして１，２−シクロヘキサンジカルボン酸ジイソデシル（本エステル１）を適用し、脂肪族ポリアルキレングリコールとしてドデカノールのエチレンオキシド８モル付加物（グリコールａ）を適用して第１表に記載する組成物を調製し、このものの性能試験を実施した。得られた結果を第１表に示す。
【００６０】
実施例２
本エステルとして１，２−シクロヘキサンジカルボン酸ジテトラデシル（本エステル２）を適用し、脂肪族ポリアルキレングリコールとして炭素数１０〜１４の脂肪族ｓｅｃ−アルコールのエチレンオキシド５モル付加物（グリコールｂ）を適用して第１表に記載する組成物を調製し、このものの性能試験を実施した。得られた結果を第１表に示す。
【００６１】
実施例３
本エステルとして４−シクロヘキセンー１，２−ジカルボン酸ジ（２−エチルヘキシル）（本エステル３）を適用し鉱油と組合せ、脂肪族ポリアルキレングリコールとして炭素数１０〜１４の脂肪族ｓｅｃ−アルコールのエチレンオキシド５モル付加物（グリコールｂ）を適用して第１表に記載する組成物を調製し、このものの性能試験を実施した。得られた結果を第１表に示す。
【００６２】
実施例４
本エステルとして４−メチル−１，２−シクロヘキサンジカルボン酸ジシクロヘキシル（本エステル４）を適用し、脂肪族ポリアルキレングリコールとしてデカノールのエチレンオキシド６モル、プロピレンオキシド２モル付加物（グリコールｃ）を適用して第１表に記載する組成物を調製し、このものの性能試験を実施した。得られた結果を第１表に示す。
【００６３】
実施例５
本エステルとして４−メチル−１，２−シクロヘキサンジカルボン酸ジイソブチル（本エステル５）を適用し、脂肪族ポリアルキレングリコールとして炭素数１０〜１４の脂肪族ｓｅｃ−アルコールのエチレンオキシド５モル付加物（グリコールｂ）を適用して第１表に記載する組成物を調製し、このものの性能試験を実施した。得られた結果を第１表に示す。
【００６４】
実施例６
本エステルとして３−メチル−４−シクロヘキセン−１，２−ジカルボン酸ジ（３，３，５−トリメチルヘキシル）（本エステル６）を適用し、脂肪族ポリアルキレングリコールとしてドデカノールのエチレンオキシド１１モル、プロピレンオキシド６モル付加物（グリコールｄ）を適用して第１表に記載する組成物を調製し、このものの性能試験を実施した。得られた結果を第１表に示す。
【００６５】
実施例７
本エステルとして４−シクロヘキセン−１，２−ジカルボン酸ジ（２−エチルヘキシル）（本エステル３）を適用し鉱油と組合せ、脂肪族ポリアルキレングリコールとしてデカノールのエチレンオキシド７モル、プロピレンオキシド７モル付加物（グリコールｅ）を適用して第１表に記載する組成物を調製し、このものの性能試験を実施した。得られた結果を第１表に示す。
【００６６】
実施例８
本エステルとして１，２−シクロヘキサンジカルボン酸ジイソデシル（本エステル１）と３−メチル−４−シクロヘキセン−１，２−ジカルボン酸ジ（３，３，５−トリメチルヘキシル）（本エステル６）を適用し、脂肪族ポリアルキレングリコールとしてドデカノールのエチレンオキシド８モル付加物（グリコールａ）を適用して第１表に記載する組成物を調製し、このものの性能試験を実施した。得られた結果を第１表に示す。
【００６７】
実施例９
本エステルとして４−シクロヘキセンー１，２−ジカルボン酸ジオクタデセニル（本エステル８）を適用し、脂肪族ポリアルキレングリコールとして炭素数１０〜１４の脂肪族ｓｅｃ−アルコールのエチレンオキシド５モル付加物（グリコールｂ）を適用して第１表に記載する組成物を調製し、このものの性能試験を実施した。得られた結果を第１表に示す。
【００６８】
比較例１
基油として鉱油を用い、脂肪族ポリアルキレングリコールとしてドデカノールのエチレンオキシド８モル付加物（グリコールａ）を適用して第１表に記載する組成物を調製し、このものの性能試験を実施した。得られた結果を第１表に示す。
【００６９】
比較例２
基油として鉱油を用い、脂肪族ポリアルキレングリコールとしてデカノールのエチレンオキシド６モル、プロピレンオキシド２モル付加物（グリコールｃ）を適用して第１表に記載する組成物を調製し、このものの性能試験を実施した。得られた結果を第１表に示す。
【００７０】
比較例３
基油として牛脂を用い、脂肪族ポリアルキレングリコールとして炭素数１０〜１４の脂肪族ｓｅｃ−アルコールのエチレンオキシド５モル付加物（グリコールｂ）を適用して第１表に記載する組成物を調製し、このものの性能試験を実施した。得られた結果を第１表に示す。
【００７１】
比較例４
基油としてヤシ油脂肪酸メチルエステルを用い、脂肪族ポリアルキレングリコールとしてドデカノールのエチレンオキシド８モル付加物（グリコールａ）を適用して第１表に記載する組成物を調製し、このものの性能試験を実施した。得られた結果を第１表に示す。
【００７２】
比較例５
本エステルとして１，２−シクロヘキサンジカルボン酸ジイソデシル（本エステル１）を適用し、脂肪族ポリアルキレングリコールを用いず第１表に記載する組成物を調製し、このものの性能試験を実施した。得られた結果を第１表に示す。
【００７３】
0003959853.tif 000003
【００７４】
実施例１０
本エステルとして１，２−シクロヘキサンジカルボン酸ジイソデシル（本エステル１）を適用し、脂肪族ポリアルキレングリコールとしてデカノールのエチレンオキシド６モル、プロピレンオキシド２モル付加物（グリコールｃ）を適用して第２表に記載する組成物を調製し、このものの性能試験を実施した。得られた結果を第２表に示す。
【００７５】
実施例１１
本エステルとして１，２−シクロヘキサンジカルボン酸ジテトラデシル（本エステル２）を適用し、脂肪族ポリアルキレングリコールとしてドデカノールのエチレンオキシド１１モル、プロピレンオキシド６モル付加物（グリコールｄ）を適用して第２表に記載する組成物を調製し、このものの性能試験を実施した。得られた結果を第２表に示す。
【００７６】
実施例１２
本エステルとして４−シクロヘキセンー１，２−ジカルボン酸ジ（２−エチルヘキシル）（本エステル３）を適用し、脂肪族ポリアルキレングリコールとして炭素数１０〜１４の脂肪族ｓｅｃ−アルコールのエチレンオキシド５モル付加物（グリコールｂ）を適用して第２表に記載する組成物を調製し、このものの性能試験を実施した。得られた結果を第２表に示す。
【００７７】
実施例１３
本エステルとして３−メチル−４−シクロヘキセン−１，２−ジカルボン酸ジ（３，３，５−トリメチルヘキシル）（本エステル６）を適用し、脂肪族ポリアルキレングリコールとしてデカノールのエチレンオキシド６モル、プロピレンオキシド２モル付加物（グリコールｃ）を適用して第２表に記載する組成物を調製し、このものの性能試験を実施した。得られた結果を第２表に示す。
【００７８】
実施例１４
本エステルとして１，２−シクロヘキサンジカルボン酸ジオクチル（本エステル７）を適用し、脂肪族ポリアルキレングリコールとしてドデカノールのエチレンオキシド７モル、プロピレンオキシド７モル付加物（グリコールｅ）を適用して第２表に記載する組成物を調製し、このものの性能試験を実施した。得られた結果を第２表に示す。
【００７９】
実施例１５
本エステルとして４−シクロヘキセンー１，２−ジカルボン酸ジ（２−エチルヘキシル）（本エステル３）と４−メチル−１，２−シクロヘキサンジカルボン酸ジシクロヘキシル（本エステル４）を適用し、脂肪族ポリアルキレングリコールとして炭素数１０〜１４の脂肪族ｓｅｃ−アルコールのエチレンオキシド５モル付加物（グリコールｂ）を適用して第２表に記載する組成物を調製し、このものの性能試験を実施した。得られた結果を第２表に示す。
【００８０】
実施例１６
本エステルとして１，２−シクロヘキサンジカルボン酸ジイソデシル（本エステル１）を適用し鉱油と組合せ、脂肪族ポリアルキレングリコールとしてドデカノールのエチレンオキシド１１モル、プロピレンオキシド６モル付加物（グリコールｄ）を適用して第２表に記載する組成物を調製し、このものの性能試験を実施した。得られた結果を第２表に示す。
【００８１】
実施例１７
本エステルとして１，２−シクロヘキサンジカルボン酸ジテトラデシル（本エステル２）を適用し鉱油と組合せ、脂肪族ポリアルキレングリコールとしてドデカノールのエチレンオキシド７モル、プロピレンオキシド７モル付加物（グリコールｅ）を適用して第２表に記載する組成物を調製し、このものの性能試験を実施した。得られた結果を第２表に示す。
【００８２】
実施例１８
本エステルとして１，２−シクロヘキサンジカルボン酸ジオクチル（本エステル７）を適用し鉱油と組合せ、脂肪族ポリアルキレングリコールとしてデカノールのエチレンオキシド６モル、プロピレンオキシド２モル付加物（グリコールｃ）を適用して第２表に記載する組成物を調製し、このものの性能試験を実施した。得られた結果を第２表に示す。
【００８３】
実施例１９
本エステルとして４−シクロヘキセンー１，２−ジカルボン酸ジオクタデセニル（本エステル８）を適用し、脂肪族ポリアルキレングリコールとして炭素数１０〜１４の脂肪族ｓｅｃ−アルコールのエチレンオキシド５モル付加物（グリコールｂ）を適用して第２表に記載する組成物を調製し、このものの性能試験を実施した。得られた結果を第２表に示す。
【００８４】
比較例６
基油として鉱油を用い、脂肪族ポリアルキレングリコールとしてドデカノールのエチレンオキシド８モル付加物（グリコールａ）を適用し、第２表に記載する組成物を調製し、このものの性能試験を実施した。得られた結果を第２表に示す。
【００８５】
比較例７
基油として牛脂を用い、脂肪族ポリアルキレングリコールとしてドデカノールのエチレンオキシド８モル付加物（グリコールａ）を適用し、第２表に記載する組成物を調製し、このものの性能試験を実施した。得られた結果を第２表に示す。
【００８６】
比較例８
基油として牛脂を用い、脂肪族ポリアルキレングリコールとしてデカノールのエチレンオキシド６モル、プロピレンオキシド２モル付加物（グリコールｃ）を適用し、第２表に記載する組成物を調製し、このものの性能試験を実施した。得られた結果を第２表に示す。
【００８７】
比較例９
基油としてヤシ脂肪酸メチルエステルを用い、脂肪族ポリアルキレングリコールとしてドデカノールのエチレンオキシド１１モル、プロピレンオキシド６モル付加物（グリコールｄ）を適用し、第２表に記載する組成物を調製し、このものの性能試験を実施した。得られた結果を第２表に示す。
【００８８】
比較例１０
本エステルとして１，２−シクロヘキサンジカルボン酸ジイソデシル（本エステル１）を適用し、脂肪族ポリアルキレングリコールを用いず第２表に記載する組成物を調製し、このものの性能試験を実施した。得られた結果を第２表に示す。
【００８９】
0003959853.tif 000004
【００９０】
【発明の効果】
本エステル及び脂肪族ポリアルキレングリコールを配合してなる本発明に係る金属加工油組成物は、潤滑性、安定性、防錆性、防腐性、消泡性及び低粘度化に優れる。